(57)【特許請求の範囲】
【請求項１】
１つの処理対象データを複数の出力先に出力する場合に、所定の画像処理について、各出力先に対応付けられた画像処理を出力先毎に別々に行う画像処理手段と、
表示手段と、
前記画像処理手段により行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を前記表示手段に一緒に表示させる制御手段と、
を備えたことを特徴とする画像処理装置。
【請求項２】
前記所定の画像処理について、前記複数の出力先毎に処理対象データにおける画像処理を行う領域が設定されており、
前記制御手段は、前記出力先毎に設定された領域に対応する変更箇所に応じてプレビュー画像の表示エリアを変更する請求項１に記載の画像処理装置。
【請求項３】
前記制御手段は、各変更箇所における差異部分を表示手段に表示させる請求項１または２に記載の画像処理装置。
【請求項４】
ユーザが表示させたい変更箇所を指示する指示手段を有し、
前記制御手段は、前記指示手段による指示に従って変更箇所を抽出し、プレビュー画像を表示させる請求項１ないし３のいずれかに記載の画像処理装置。
【請求項５】
前記制御手段は、表示画面に対するユーザの操作に応じてプレビュー画像の表示エリアを変更する請求項１ないし４のいずれかに記載の画像処理装置。
【請求項６】
１つの処理対象データを複数の出力先に出力する場合に、所定の画像処理について、各出力先に対応付けられた画像処理を出力先毎に別々に行う画像処理ステップと、
前記画像処理ステップにおいて行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を表示手段に一緒に表示させる制御ステップと、
を備えたことを特徴とする画像処理装置におけるプレビュー画像表示方法。
【請求項７】
１つの処理対象データを複数の出力先に出力する場合に、所定の画像処理について、各出力先に対応付けられた画像処理を出力先毎に別々に行う画像処理ステップと、
前記画像処理ステップにおいて行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を表示手段に一緒に表示させる制御ステップと、
を、画像処理装置のコンピュータに実行させるためのプレビュー画像表示プログラム。
【発明の詳細な説明】
【技術分野】
【０００１】
この発明は、原稿画像等の処理対象データに画像処理を付加する場合、処理付加後の状態を処理の実行前にプレビュー表示可能な画像処理装置、該画像処理装置で実行されるプレビュー画像表示方法及びプレビュー画像表示プログラムに関する。
【背景技術】
【０００２】
コピー機能、プリンタ機能、ファクシミリ機能等を集約した多機能デジタル画像形成装置であるＭＦＰ（Multi Function Peripherals)等の画像処理装置として、プレビュー表示機能を備えたものが知られている。
【０００３】
このプレビュー表示機能は、ＭＦＰで処理対象データに付加する画像処理を設定し、その設定した処理結果を処理対象データにマージ（Merge)して表示することができる。また、詳細を確認したい場合に、このプレビュー画像を拡大して表示できるようにした技術も知られている（例えば特許文献１、２）。
【０００４】
ところで、ＭＦＰの機能操作において、１つの処理対象データに対して複数の異なる画像処理が別々に付加される場合がある。
【０００５】
例えば、ＭＦＰによるファクシミリ（ＦＡＸともいう）送信において、送信時に送信者識別（ＴＴＩ）を指定して、ヘッダーに付加する名前や番号を変更する機能があり、また１つの原稿を同報送信する際、送信宛先に応じて、異なる送信者識別を指定して送信する機能もある。さらにまた、記憶領域であるボックス（Ｂｏｘ）毎に実施する画像処理を関連付けておき、ボックスに保存されるデータに対して関連付けられた画像処理を施しつつボックスに保存するといった機能もある。
【０００６】
また、特許文献３には、複数のパターンイメージを登録しておき、入力画像における処理対象部位に、選択した登録パターンイメージを付加することができる画像処理装置において、登録されたパータンを判別するために、複数のサムネイル（パターンイメージ一覧の一部ないしは全部）を並べて表示するようした技術が提案されている。
【先行技術文献】
【特許文献】
【０００７】
【特許文献１】特開２０１０−１３０３３３号公報
【特許文献２】特開２００９−３０２７５９号公報
【特許文献３】特開平９−１３５７５号公報
【発明の概要】
【発明が解決しようとする課題】
【０００８】
しかし、処理対象データに対する１つの処理結果しかプレビュー表示できないと、ボックスや宛先毎に設定された複数の画像処理の結果を確認しようとした場合、１つのプレビュー画像を選択して拡大表示する個所を指定して確認し、その後、また次の画像を選択し拡大表示する個所を指定して確認するといった操作を何度も繰り返すことになり、操作に手間がかかる。
【０００９】
また、プレビュー画像を一律に同じ大きさのサムネイルで並べて表示する方法では、１つの処理対象データに対して別々に行われる複数の処理結果を確認する場合、処理によって元の処理対象データから変更される変更箇所が非常に小さい個所であると、それぞれの変更箇所の差異が分かりにくい。また、たとえプレビュー画像を一律に同じ大きさや拡大率で並べて表示したとしても、変更箇所の場所や大きさがまちまちであると、確認に不必要な箇所まで無駄に表示されることになる。
【００１０】
この発明は、上記実情に鑑みてなされたものであり、１つの処理対象データに別々に複数の画像処理を実施する際に、限られた表示領域を有効利用しつつ、ユーザが各処理毎の処理結果や差異の比較等を容易に確認できる画像処理装置、及び該画像処理装置で実行されるプレビュー画像表示方法を提供し、さらには画像処理装置のコンピュータに前記プレビュー画像表示方法を実行させるためのプレビュー画像表示プログラムを提供することを課題とする。
【課題を解決するための手段】
【００１１】
上記課題は、以下の手段により解決される。
（１）１つの処理対象データを複数の出力先に出力する場合に、所定の画像処理について、各出力先に対応付けられた画像処理を出力先毎に別々に行う画像処理手段と、表示手段と、前記画像処理手段により行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を前記表示手段に一緒に表示させる制御手段と、を備えたことを特徴とする画像処理装置。
（２）前記所定の画像処理について、前記複数の出力先毎に処理対象データにおける画像処理を行う領域が設定されており、前記制御手段は、前記出力先毎に設定された領域に対応する変更箇所に応じてプレビュー画像の表示エリアを変更する前項１に記載の画像処理装置。
（３）前記制御手段は、各変更箇所における差異部分を表示手段に表示させる前項１または２に記載の画像処理装置。
（４）ユーザが表示させたい変更箇所を指示する指示手段を有し、前記制御手段は、前記指示手段による指示に従って変更箇所を抽出し、プレビュー画像を表示させる前項１ないし３のいずれかに記載の画像処理装置。
（５）前記制御手段は、表示画面に対するユーザの操作に応じてプレビュー画像の表示エリアを変更する前項１ないし４のいずれかに記載の画像処理装置。
（６）１つの処理対象データを複数の出力先に出力する場合に、所定の画像処理について、各出力先に対応付けられた画像処理を出力先毎に別々に行う画像処理ステップと、前記画像処理ステップにおいて行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を表示手段に一緒に表示させる制御ステップと、を備えたことを特徴とする画像処理装置におけるプレビュー画像表示方法。
（７）１つの処理対象データを複数の出力先に出力する場合に、所定の画像処理について、各出力先に対応付けられた画像処理を出力先毎に別々に行う画像処理ステップと、前記画像処理ステップにおいて行われた前記各出力先に対応付けられた画像処理によって元の処理対象データから変更される変更箇所を、前記複数の出力先毎に抽出するとともに、抽出された複数の出力先毎の変更箇所を示す複数のプレビュー画像を表示手段に一緒に表示させる制御ステップと、を、画像処理装置のコンピュータに実行させるためのプレビュー画像表示プログラム。
【発明の効果】
【００１２】
前項（１）に記載の発明によれば、１つの処理対象データを複数の出力先に出力する場合に、所定の画像処理について、各出力先に対応付けられた画像処理が出力先毎に別々に行われるときに、各出力先に対応付けられた画像処理によって元の処理対象データから変更される変更箇所が複数の出力毎に抽出され、これらの抽出された変更箇所を示す複数のプレビュー画像が例えばアコーディオン表示方式等により表示手段に一緒に表示される。
【００１３】
このように、元の処理対象データから変更される変更箇所のみが複数のプレビュー画像として一緒に表示されるから、従来のように、１つのプレビュー画像の表示を順番に切り替え拡大表示して処理結果を確認するような手間を要することなく、ユーザは各出力先毎の処理結果や差異の比較等を容易に確認することができる。
【００１４】
しかも、変更箇所がプレビュー表示されるから、限られた表示領域であっても多くのプレビュー画像を表示できると共に、変更箇所が非常に小さい個所であっても、画像処理後のデータの全体をサムネイル表示する場合のように、確認作業を行い難いといった不都合はなく、各処理結果の比較等を的確に行うことができる。
【００１５】
前項（２）に記載の発明によれば、変更箇所の位置や大きさに適したプレビュー画像を表示できる。
【００１６】
前項（３）に記載の発明によれば、各変更箇所における差異部分がプレビュー画像として表示されるので、ユーザはさらに容易に差異部分を認識できる。
【００１７】
前項（４）に記載の発明によれば、ユーザが特に確認したい部分等、ユーザの意図を反映したプレビュー画像を表示できる。
【００１８】
前項（５）に記載の発明によれば、表示画面に対するユーザ操作に応じて、プレビュー画像の表示／非表示を任意に選択したり、あるいはプレビュー画像の表示エリアを拡大／縮小したりすることができる。
【００１９】
前項（６）に記載の発明によれば、元の処理対象データから変更される変更箇所を示す複数のプレビュー画像が一緒に表示されるから、従来のように、１つのプレビュー画像の表示を順番に切り替え拡大表示して処理結果を確認するような手間を要することなく、ユーザは各出力先毎の処理結果や差異の比較等を容易に確認することができる。しかも、変更箇所がプレビュー表示されるから、限られた表示領域であっても多くのプレビュー画像を表示できると共に、変更箇所が非常に小さい個所であっても、画像処理後のデータの全体をサムネイル表示する場合のように、確認作業を行い難いといった不都合はなく、各処理結果の比較等を的確に行うことができる。
【００２０】
前項（７）に記載の発明によれば、各出力先に対応付けられた画像処理による変更箇所を示す複数のプレビュー画像を表示手段に一緒に表示する処理を、画像処理装置のコンピュータに実行させることができる。
【図面の簡単な説明】
【００２１】
【図１】この発明の一実施形態に係る画像処理装置の電気的構成を示すブロック図である。
【図２】画像処理装置により１つの処理対象データに対して複数の画像処理を別々に実施し、変更箇所を抽出して同時にプレビュー表示させる処理の流れを示すフローチャートである。
【図３】ファクシミリ送信する際のプレビュー画像の表示例を示す図である。
【図４】登録されているボックスに原稿を振り分ける場合のプレビュー画像の表示例を示す図である。
【図５】振り分け用のボックスに複数の画像処理設定がなされている場合のプレビュー画像の表示例を示す図である。
【図６】ユーザが表示したい変更箇所を指示したときのプレビュー画像の表示例を示す図である。
【図７】プレビュー画像を非表示にした例を示す図である。
【図８】プレビュー画像の表示エリアを拡大した例を示す図である。
【図９】プレビュー画像の表示エリアを縮小した例を示す図である。
【発明を実施するための形態】
【００２２】
以下、この発明の実施形態を図面に基づいて説明する。
【００２３】
図１は、この発明の一実施形態に係る画像形成装置の電気的構成を示すブロック図である。この実施形態では、画像処理装置として前述した多機能デジタル画像形成装置であるＭＦＰが用いられている。
【００２４】
図１において、このＭＦＰは、ＣＰＵ１と、ＲＡＭ２と、ＲＯＭ３と、不揮発性メモリ４と、記憶部５と、ＵＳＢインターフェース（Ｉ／Ｆ）部６と、ネットワークカード７と、ＦＡＸモデム８と、スキャナ部９と、プリンタ部１０と、操作パネル部１１とを備えており、これら各部１〜１１は、バス１２に接続されている。
【００２５】
前記ＣＰＵ１は、ＭＦＰの全体の動作を統括制御する制御手段を構成するものであり、コピー動作、プリント動作、ＦＡＸ送受信動作、スキャナ動作等、ＭＦＰの基本的な動作を制御する。さらにこの実施形態では、ＣＰＵ１は、１つの処理対象データ（同一の処理対象データ）に対して予め設定された複数の画像処理を別々に行ったり、画像処理前後のデータの変更箇所を抽出し、これら変更箇所を複数のプレビュー画像として、操作パネル１１の表示部１１２に表示させる等の制御を行うが、詳細は後述する。
【００２６】
前記ＲＡＭ２は、ＣＰＵ１が動作する際の作業領域を提供するメモリである。
【００２７】
前記ＲＯＭ３は、ＣＰＵ１の動作プログラムやその他のデータが格納されたメモリである。
【００２８】
前記不揮発性メモリ４は、処理対象データに画像処理の一つとして付加されるウォーターマークや地紋パターンなどのデータ等を保持している。
【００２９】
前記記憶部５は例えばハードディスク装置からなり、スキャナ部９で読み込まれた画像データ、外部のユーザ端末等から送信されたプリントデータ、ＦＡＸ受信データ等を記憶する。この記憶部５には、ボックス（ＢＯＸ）と呼ばれる複数の記憶領域が形成されており、各ボックスに各種のデータを区分けして保存することができるものとなされている。
【００３０】
前記ＵＳＢインターフェース（Ｉ／Ｆ）部６は、ＵＳＢ接続機器との間でのデータの授受を仲介するものである。
【００３１】
前記ネットワークカード７は、ネットワーク上の機器であるパーソナルコンピュータからなるユーザ端末やサーバ（いずれも図示せず）等との間で、データの送受信を行うためのものである。
【００３２】
前記ＦＡＸモデム８は、指定された宛先との間でＦＡＸ送受信を行うための変復調装置である。
【００３３】
前記スキャナ部９は、原稿台上の原稿の画像を読み取って電子データである画像データに変換する画像読み取り手段である。
【００３４】
前記プリンタ部１０は、前記スキャナ部９で読み取られた画像データや、ネットワークを介して外部から送信されたプリントデータ等を用紙に印刷するエンジン部である。
【００３５】
前記操作パネル部１１は、スタートキー、ストップキー、テンキー等のハードキーを備えたキー部１１１と、ＬＣＤタッチパネル等からなる表示部１１２とから構成されている。この実施形態では、操作パネル部１１は、ユーザがプレビュー表示したい変更箇所を指示する指示手段としても機能する。
【００３６】
また表示部１１２は、一つの処理対象データに対して画像処理が別々に行われたときの画像処理前後のデータの変更箇所をプレビュー画像として表示可能であり、さらに、表示部１１２の表示画面をユーザが例えばタッチ操作することで、表示された画像の拡大、縮小、移動等が可能となっている。
【００３７】
前記処理対象データとしては、（１）前記記憶部５に保存されている画像データの中から読み出された画像データ、（２）ＵＳＢインターフェース（Ｉ／Ｆ）部６を介して外部のＵＳＢ機器から送信された画像データ、（３）ネットワークカード７を介してユーザ端末やサーバから送信された画像データ、（４）ＦＡＸモデム８を介して受信した画像データ、（５）スキャナ部９を介して読み取られた原稿の画像データ、等があるが、これらに限定されることはない。
【００３８】
また、処理対象データに画像処理が実施された後の出力形態としては、（１）前記記憶部５への保存、（２）ＵＳＢインターフェース（Ｉ／Ｆ）部６を介して外部のＵＳＢ機器に送信、（３）ネットワークカード７を介してユーザ端末やサーバに送信、（４）ＦＡＸモデム８を介して指定された宛先に送信、（５）プリンタ部１０による用紙への印刷、等が挙げられる。
【００３９】
上記の構成におけるＭＦＰは、１つの処理対象データに対して複数の異なる画像処理を別々に実施する機能を有しており、この機能を利用した時に、それぞれ元の処理対象データから画像処理によって変更された変更箇所を画像処理毎に抽出し、抽出した画像処理毎の変更箇所をプレビュー画像として表示部１１２に同時にかつアコーディオン表示方式等により並列にプレビュー表示させるようになっている。
【００４０】
図２は、ＭＦＰにおいて、１つの処理対象データに対して複数の画像処理を別々に付加し、変更箇所を抽出して同時にかつ並列にプレビュー表示させる処理の流れを示すフローチャートである。この処理は、ＭＦＰのＣＰＵ１がＲＯＭ３等の記録媒体に記録されている動作プログラムに従って動作することにより実行される。
【００４１】
ステップＳ１で、ユーザの操作に基づいて、処理対象データ及び画像処理の内容を特定したのち、ステップＳ２で、画像処理後のデータの出力先が複数か否かを判断し、出力先が複数でなければ（Ｓ２でＮＯ）、画像処理も一つと考えられるから、ステップＳ５では１つのプレビュー画像を作成し、操作パネル１１の表示部１１２に表示する。
【００４２】
一方、出力先が複数であれば（Ｓ２でＹＥＳ）、ステップＳ３に進み、データの出力先に応じて付加する画像処理が異なるか否かを判断する。同じであれば（Ｓ３でＮＯ）、前記ステップＳ５に進み、１つのプレビュー画像を作成し、操作パネル１１の表示部１１２に表示する。
【００４３】
データの出力先に応じて画像処理が異なるのであれば（Ｓ３でＹＥＳ）、ステップＳ４で、異なる画像処理毎に画像処理前後のデータの変更箇所を抽出し、これらの抽出した変更箇所を示す複数のプレビュー画像を同時かつ並列に操作パネル１１の表示部１１２に表示する。なお、プレビュー画像は、処理対象データを含む画像処理後の全体のデータに対するものを作成し、変更箇所のみを表示しても良いし、変更箇所のみのプレビュー画像を作成し表示しても良い。
【００４４】
以下、処理対象データに複数の画像処理を別々に付加して、変更箇所をプレビュー表示する場合の具体例を説明する。
【００４５】
まず、ＭＦＰによりＦＡＸ送信する際に、送信対象データ（送信原稿）にＦＡＸヘッダ−を付加する場合のプレビュー画像の表示例を示す。
【００４６】
図３は、１つの送信原稿を複数の宛先に送信するＦＡＸの同報送信時に、宛先によって発信元情報（ＴＴＩともいう）を変えたヘッダー部分Ｈを付加して送信する場合のプレビュー画像の表示例を示す図である。
【００４７】
ＭＦＰの不揮発性メモリ４等には、複数の送信者を予め登録してあり、ユーザは送信時に各宛先毎に登録済の送信者を選択する。
（１）１つ目の宛先には、送信者：コニカミノルタホールディングス（株）を送信者として選択する（タイトル行Ｔは、例えば「ＨＤ」）。
（２）２つ目の宛先には、送信者：コニカミノルタビジネステクノロージズ（株）を送信者として選択する（タイトル行は、例えば「工業会」）。
（３）３つ目の宛先には、送信者：コニカミノルタビジネステクノロージズ（株）営業部を送信者として選択する（タイトル行は、例えば「ＢＴ顧客」）。
【００４８】
４つ目以降も同様に設定する。
【００４９】
ＭＦＰには、短縮・グループアドレスといった登録宛先に送信者を紐付けして登録してあるが、送信時に新たに入力するようにしてもよい。
【００５０】
このように、１つの送信原稿を送信する際に、ヘッダー部分Ｈに異なる送信者名とＦＡＸ番号部分が画像処理により付加されるので、処理前後の送信原稿の変更箇所であるヘッダー部分Ｈが抽出され、プレビュー画像として、図３に示すように、このヘッダー部分Ｈをクローズアップした画像が並べて表示部１１２に表示される。送信原稿は全ての宛先について同じであるので、表示していない。
【００５１】
このように、この実施形態では、変更箇所（ヘッダー部分Ｈ）のみが複数のプレビュー画像として同時にかつ並列に表示されるから、従来のように、送信原稿も含めた１つのプレビュー画像の表示を、宛先毎に順番に切り替えて拡大表示して処理結果を確認するような手間を要することなく、ユーザは各宛先毎の送信者や差異の比較等を容易に確認することができる。しかも、変更箇所であるヘッダー部分Ｈのみが表示されるから、限られた表示領域であっても多くのプレビュー画像を表示できると共に、変更箇所が送信原稿に対して非常に小さい個所であっても、送信原稿を含む全体をサムネイル表示する場合のように、確認作業を行い難いといった不都合はなく、各処理結果の比較等を的確に行うことができる。
【００５２】
図４は、記憶部５に登録されている複数のボックスに、１つの処理対象データを振り分けて保存する場合のプレビュー画像の表示例を示す図である。この例では、前記スキャナ部９から原稿の画像を読み取り、得られた画像データを複数のボックスＢ１，Ｂ２，Ｂ３を指定して振り分ける例で説明する。
【００５３】
ぞれぞれのボックスは、
（１）ボックスＢ１は社内用であり、画像処理としてページ右上Ｐｒに「ウォーターマーク（社外秘）」を付加して保存する、
（２）ボックスＢ２は保存用であり、画像処理としてページ下部Ｐｕに「ファイルナンバー（ＸＸＸ−０１０２）」を付加して保存する、
（３）ボックスＢ３は社外用であり、画像処理としてページ全体Ｐｗに「地紋（コピー）」を付加して保存する、
設定がなされており、これらボックスＢ１，Ｂ２，Ｂ３に保存される際に、設定された画像処理が実行されるようになっている。
【００５４】
従って、ボックスＢ１については、画像データの右上部Ｐｒに「ウォーターマーク」が付加されて保存されるので、表示部１１２には図４に示すように、変更箇所である右上部Ｐｒの「社外秘」の文字がクローズアップされてプレビュー表示される。
【００５５】
ボックスＢ２については、ページ下部Ｐｕにファイルナンバー（例えばＸＸＸ−０１０２）が付加されて保存されるので、表示部１１２には、変更箇所であるページ下部Ｐｕのファイルナンバーがプレビュー表示される。
【００５６】
ボックスＢ３については、地紋がページ全体に付加されて保存されるので、表示部１１２には、変更箇所であるページ全体Ｐｗが表示される。
【００５７】
図４に示した実施形態においても、変更箇所のみが複数のプレビュー画像として同時にかつ並列に表示されるから、処理毎に画像を順番に切り替えて拡大表示して処理結果を確認するような手間を要することなく、ユーザは変更箇所や差異等を容易に確認することができる。しかも、変更箇所のみが表示されるから、変更箇所が画像データ全体に対して非常に小さい個所であっても、全体をサムネイル表示する場合のように、確認作業を行い難いといった不都合はなく、各処理結果の比較等を的確に行うことができる。
【００５８】
なお、変更箇所は、ページ全体、中央、右上、下部等、設定されている位置が異なったり、また変更箇所のサイズも処理によって異なったりするため、該当する処理に合わせて表示エリアＳを変更させることが可能である。例えば図４のボックスＢ３については、変更箇所がページ全体でありサイズが大きいので、画像表示エリアＳも伸長して表示されている。このように、該当する処理に合わせて表示エリアＳを変更させることで、変更箇所の位置や大きさに適したプレビュー画像を表示できる。
【００５９】
図５は、振り分け用のボックスＢ１，Ｂ２，Ｂ３に複数の画像処理設定がなされている場合のプレビュー画像の表示例を示す図である。
【００６０】
この例では、処理の一部が各ボックスで共通している場合に、その共通している処理については変更箇所を表示せず、変更箇所における各ボックス毎の差異のみをプレビュー画像として表示するものである。
【００６１】
例えば、
（１）ボックスＢ１は社内用であり、画像処理として、ページ全体Ｐｗに「地紋（コピー）」を、ページ右上Ｐｒに「ウォーターマーク（社外秘）」をそれぞれ付加して保存する、
（２）ボックスＢ２は保存用であり、画像処理として、ページ全体Ｐｗに「地紋（コピー）」を、ページ下部Ｐｕに「ファイルナンバー（ＸＸＸ−０１０２）」をそれぞれ付加して保存する、
（３）ボックスＢ３は社外用であり、画像処理として、ページ全体Ｐｗに「地紋（コピー）」を、ページ下部Ｐｕに「社名」をそれぞれ付加して保存する、
設定がなされており、これらボックスＢ１，Ｂ２，Ｂ３に保存される際に、設定された画像処理が実行されるようになっている。
【００６２】
この場合、変更箇所における各ボックスでの差異部分のみをプレビュー画像として表示するようにする。つまり、この例では、ページ全体Ｐｗに付加される「地紋」については、元の画像データとは異なっているが、各ボックスに共通の処理であるので、表示個所として抽出されない。
【００６３】
従って、ボックスＢ１については、図５に示すように、変更箇所である右上部Ｐｒの「社外秘」の文字がクローズアップされてプレビュー表示される。また、ボックスＢ２については、変更箇所であるページ下部Ｐｕのファイルナンバーがプレビュー表示される。ボックスＢ３については、変更箇所であるページ下部Ｐｕの社名がプレビュー表示される。
【００６４】
このように、この実施形態では、変更箇所における各ボックスでの差異部分がプレビュー画像として表示されるので、ユーザはさらに容易に差異部分を認識できる。
【００６５】
図６は、表示部１１２にプレビュー表示する部分をユーザが着目点として指示する例を示す図である。このような指示は操作パネル部１１により可能である。
【００６６】
例えば、ユーザが「ウォーターマーク」をプレビュー表示の着目点として指示した場合、画像処理毎の変更箇所のうち、「ウォーターマーク」の部分のみが抽出され、プレビュー表示される。
【００６７】
このように、ユーザの指示に基づいてプレビュー画像を表示することで、ユーザが特に確認したい部分等、ユーザの意図を反映したプレビュー画像を表示できる。
【００６８】
ところで、上記実施形態では、基本的に画像処理前後の変更箇所をＭＦＰのＣＰＵ１１が自動で抽出し、これらの変更箇所を示す複数のプレビュー画像を並列に表示する構成でを示した。しかし、ユーザによっては、プレビュー画像の非表示部分を表示させたいとか、表示件数が多い場合等に確認したい宛先・振り分け先だけを表示して、その他のプレビュー画像は省略したい、といった要望もある。
【００６９】
そこで、表示部１１２のタッチパネルの画面を直接操作するか、あるいは別途用意したマウス等の操作機器を画面操作手段として用い、その操作によってプレビュー画像を表示／非表示できるように構成しても良い。
【００７０】
また、プレビュー画像の表示エリアＳの拡張（伸張）や収縮が可能な構成としても良い。例えば、図７に示すように、表示画像のタイトル行Ｔをタッチすることにより、プレビュー画像を表示している場合はタイトル行以外の部分を非表示にし、プレビュー画像を表示していない場合は表示にするようにしたり、あるいは、画像の表示エリアＳをタッチ操作することにより非表示にするといった方法でプレビュー画像の表示／非表示を切り替える構成としても良い。
【００７１】
また、画像表示エリアＳとタイトル行Ｔとの境界を移動させる操作を行うことにより、プレビュー画像の表示エリアＳを図８に示すように拡張したり、あるいは図９に示すように収縮したりする構成としても良い。
【００７２】
以上、本発明の一実施形態を説明したが、本発明は上記実施形態に限定されることはない。例えば、画像処理の例として処理対象データである画像データに別の画像データを付加する処理を説明したが、画像処理はＮページの画像データを１ページの画像データとして出力するＮｉｎｌ処理、画像データを片面用紙または両面用紙に出力する片面両面処理、リピート、枠消し、シフト等の画像配置や消去処理、ステープル、パンチ等の物理的な仕上がり処理等であっても良い。これらの場合も、複数の画像処理によって元の処理対象データと変更が生じる場合の変更箇所を抽出し、抽出された変更箇所をプレビュー画像として同時に表示すればよい。
【符号の説明】
【００７３】
１      ＣＰＵ
３      ＲＯＭ
５      記憶部
１０    プリンタ部
１１    操作パネル部
１１２  表示部
【図１】
0005664866.tif 000002
【図２】
0005664866.tif 000003
【図３】
0005664866.tif 000004
【図４】
0005664866.tif 000005
【図５】
0005664866.tif 000006
【図６】
0005664866.tif 000007
【図７】
0005664866.tif 000008
【図８】
0005664866.tif 000009
【図９】
0005664866.tif 000010